(57)【要約】【課題】酸素吸収性フィルムのロール及び該ロール状酸素吸収性フィルムを収納する外装袋から成る酸素吸収性フィルム包装体において、酸素吸収性フィルムの酸素吸収性能の低下を有効に抑制し得ると共に、外装袋内を減圧脱気した状態に生じる外装袋のシワが、酸素吸収性フィルムに転写されることが有効に抑制された酸素吸収性フィルム包装体を提供する。【解決手段】巻芯に巻き取られた酸素吸収性フィルムのロールと、該酸素吸収性フィルムのロールを減圧状態で収納する外装袋とから成る酸素吸収性フィルム包装体において、前記酸素吸収性フィルムのロールの外周面と外装袋の間に、外装袋のシワの酸素吸収性フィルムのロール表面への転写を予防するための緩衝材が配置されていることを特徴とする。【選択図】なし【特許請求の範囲】
【請求項１】
巻芯に巻き取られた酸素吸収性フィルムのロールと、該酸素吸収性フィルムのロールを減圧状態で収納する外装袋とから成る酸素吸収性フィルム包装体において、
前記酸素吸収性フィルムのロールの外周面と外装袋の間に、外装袋のシワの酸素吸収性フィルムのロール表面への転写を予防するための緩衝材が配置されていることを特徴とする酸素吸収性フィルム包装体。
【請求項２】
前記緩衝材が、厚みが１．０〜６．０ｍｍの範囲にある発泡性フィルムである請求項１記載の酸素吸収性フィルム包装体。
【請求項３】
前記緩衝材が、厚みが１００〜５００μｍの範囲にあり、且つ引張弾性率が２０００〜５０００ＭＰａの範囲にある非発泡性フィルムである請求項１記載の酸素吸収性フィルム包装体。
【請求項４】
前記非発泡性フィルムが、二軸延伸ポリエチレンテレフタレートフィルムから成る請求項３記載の酸素吸収性フィルム包装体。
【請求項５】
前記外装袋が、バリア層を有する積層体から成る請求項１〜４の何れかに記載の酸素吸収性フィルム包装体。
【発明の詳細な説明】
【技術分野】
【０００１】
本発明は、酸素吸収性フィルムが巻き芯に巻き取られたロールと、このロールを減圧状態で包装可能な外装袋から成る酸素吸収性フィルム包装体に関し、より詳細には、減圧状態にある外装体のシワが酸素吸収性フィルムのロール表面に転写されることが防止された酸素吸収性フィルム包装体に関する。
【背景技術】
【０００２】
包装容器の分野において、内容物の酸化や変質、或いはカビの発生を防止するために、外部からの酸素の透過を抑制する酸素バリア性の他、容器内の残存酸素を吸収可能な酸素吸収性を具備する包装材料が広く使用されている。
このような酸素吸収性を有する包装材料は、マトリックス樹脂中に、鉄粉等の脱酸素剤や酸化性有機成分及び遷移金属触媒を含有する樹脂組成物から成り、脱酸素剤や酸化性有機成分が酸素と反応することによって酸素を吸収する。かかる酸素吸収反応は不可逆反応であり、いったん酸素と反応してしまった包装材料は、酸素吸収能力を喪失してしまうことから、酸素吸収性包装材料においては、製造直後から酸素との接触を抑制することが要求される。
【０００３】
このような観点から、例えば下記特許文献１には、巻き芯に巻き取られたロール状の酸素吸収性フィルムを、酸素バリア性を有する外装袋に収納し、包装体内を減圧脱気することにより、酸素吸収性フィルムの酸素吸収能力の低下を抑制することが提案されている。
【先行技術文献】
【特許文献】
【０００４】
【特許文献１】特開２０１１−２３５９１５号公報
【発明の概要】
【発明が解決しようとする課題】
【０００５】
しかしながら、外装袋内の酸素を取り除くために減圧脱気すると、酸素吸収性フィルムのロール外周面に外装袋がシワを発生した状態で圧着する。そのため、酸素吸収性フィルムに外装袋のシワが転写されてしまい、このようなシワが形成された酸素吸収性フィルムは、外観上の問題から製品として使用できないため廃棄しなければならない、という問題がある。
【０００６】
従って本発明の目的は、酸素吸収性フィルムのロール及び該ロール状酸素吸収性フィルムを収納する外装袋から成る酸素吸収性フィルム包装体において、酸素吸収性フィルムの酸素吸収性能の低下を有効に抑制し得ると共に、外装袋内を減圧脱気した状態で生じる外装袋のシワが、酸素吸収性フィルムに転写されることが有効に抑制された酸素吸収性フィルム包装体を提供することである。
【課題を解決するための手段】
【０００７】
本発明によれば、巻芯に巻き取られた酸素吸収性フィルムのロールと、該酸素吸収性フィルムのロールを減圧状態に包装する外装袋とから成る酸素吸収性フィルム包装体において、前記酸素吸収性フィルムのロールの外周面と外装袋の間に、外装袋のシワの酸素吸収性フィルムのロール表面への転写を予防するための緩衝材が配置されていることを特徴とする酸素吸収性フィルム包装体が提供される。
【０００８】
本発明の酸素吸収性フィルム包装体においては、
１．前記緩衝材が、厚み１．０〜６．０ｍｍの発泡フィルムであること、
２．前記緩衝材が、厚み１００〜５００μｍの範囲にあり、且つ引張弾性率が２０００〜５０００ＭＰａの範囲にある非発泡性フィルムであること、
３．前記非発泡性フィルムが、二軸延伸ポリエチレンテレフタレートフィルムであること、
４．前記外装袋が、バリア層を有する積層体から成ること、
が好適である。
【発明の効果】
【０００９】
本発明の酸素吸収性フィルム包装体は、酸素吸収性フィルムのロールが酸素遮断性を有する外装袋内に収納され、且つ外装袋内部が減圧状態に維持されていることから、外部からの酸素の透過が抑制されていると共に、外装袋内には残存酸素が存在しないため、酸素吸収性フィルムの酸素吸収性能が低下することが有効に防止されている。しかも、減圧状態により外装袋にシワが発生した状態で、酸素吸収性フィルムのロール表面に圧着しても、外装袋と酸素吸収性フィルムのロールの間に緩衝材が存在しているため、外装袋のシワが酸素吸収性フィルムのロールに転写されることを有効に防止できる。
【発明を実施するための形態】
【００１０】
本発明の酸素吸収性フィルム包装体においては、巻き芯に巻き取られたロール状の酸素吸収性フィルムと、この酸素吸収性フィルムのロールを収納するための外装袋の間に、緩衝材を介在させて、減圧状態にされている。そのため、外装袋はシワが形成された状態で、酸素吸収性フィルム表面に圧着するが、本発明においては、外装袋に生じたシワを転写させない緩衝材が介在することによって、酸素吸収性フィルムの表面にシワが転写されることが防止されている。
【００１１】
（酸素吸収性フィルム）
本発明における酸素吸収性フィルムは、酸素と反応することによって酸素を捕捉し得る機能を有する限り、制限なく対象となる。例えば、酸化性有機成分及び遷移金属触媒を含有する酸素吸収性樹脂組成物から成るフィルムや、鉄粉等の脱酸素剤を含有する樹脂フィルム等の従来公知の酸素吸収性フィルムを挙げることができる。また酸素吸収性フィルムの単層フィルムの他、酸素吸収性フィルムから成る層を含有する多層フィルムであってもよい。
また酸素吸収性フィルムをロール状に巻き取る巻芯は、従来公知の紙製、プラスチック製、金属製等の巻き芯を制限なく使用することができる。また巻き芯は中空の管状であることが一般的であるが、これに制限されず、中実の円柱状のものであってもよい。
【００１２】
（外装袋）
酸素吸収性フィルムの酸素吸収性能を維持するために使用する外装袋としては、外装袋内への酸素の侵入を阻止し、外装袋が圧縮された状態（シワが発生した状態）でも、外装袋内の減圧状態を維持できる限り、従来公知の外装袋を使用することができる。
本発明においては、外装袋内への酸素の透過を抑制し、外装袋内の減圧状態を長期にわたって維持する観点から、酸素の透過を遮断し得るバリア層を少なくとも有する外装袋を好適に使用できる。バリア層としては、これに限定されないが、アルミニウム箔等の軽金属箔や、無機蒸着層、或いはエチレンビニルアルコール共重合体やポリアミド樹脂などの酸素バリア性樹脂から成るバリア層を例示することができる。
具体的には、少なくともバリア層を備え、必要により、ポリエチレンやポリプロレン等のヒートシール性樹脂から成る層、ナイロン，ポリエチレンテレフタレート，ポリブチレンテレフタレートの延伸フィルムから成る機械的強度を有する層等を備えた多層フィルムから成ることが好適である。
減圧により圧縮されてもクラック等の破損がなく、酸素バリア性等を維持可能な外装袋としては、これに限定されないが、外側から順にポリアミド／アルミ箔／ポリアミド／ポリエチレンの層構成を有する積層体から成る外装袋を例示できる。
【００１３】
外装袋は、予めフィルムの周囲をヒートシール等で接合し、袋状にしたものに限定されず、酸素吸収性フィルムのロールをフィルムで包んだ後に、該フィルムの周囲を接合して袋状とし、酸素吸収性フィルムのロールの外装袋への収納と外装袋の成形を同時に行ってもよい。
また外装袋は、減圧状態でのシワの発生を低減するという観点からは、酸素吸収性フィルムのロールの体積に対して１．２〜８．０倍程度の容積を有することが好ましい。
【００１４】
（緩衝材）
外装袋内に収納される酸素吸収性フィルムのロールと外装袋の間に介在させる緩衝材は、外装袋内を減圧状態にしたことにより外装袋に形成されるシワ（外装袋を構成するフィルムの折れや重なりにより生じる段差）を酸素吸収性フィルムに転写させないことが重要である。
このような緩衝材としては、外装袋に生じたシワ（段差）を吸収し得る柔軟性を有する発泡フィルム、或いは、シワ（段差）と当接してもその形状が転写されない剛性を有する非発泡フィルムから成ることが好ましい。
また、ロール状の酸素吸収性フィルムと、この酸素吸収性フィルムのロールを収納するための外装袋の間に、緩衝材を介在させるために、フィルムロールにシート状の緩衝材を巻き付ける場合には、緩衝材がオーバーラップする部分が発生する。このオーバーラップ部分では、緩衝材に段差が生じるため、段差が酸素吸収性フィルムに転写されないことも重要である。
したがって、緩衝材としては、緩衝材のオーバーラップ部分に生じた段差を吸収し得る柔軟性を有する発泡フィルム、或いは、段差と当接してもその形状が転写されない剛性を有する非発泡フィルムから成ることがより好ましい。
【００１５】
［発泡フィルム］
発泡フィルムは、上記の通り、外装袋に生じたシワ（段差）を外装袋に面する側には転写するとしても、酸素吸収性フィルムのロールに面するにはシワが形成されていないことが重要である。
発泡フィルムがこのような性能を有するためには、発泡フィルムの厚みが重要であり、厚さが１．０〜６．０ｍｍの範囲、特に１．０〜４．０ｍｍの範囲にあることが望ましい。すなわち、上記範囲よりも発泡フィルムの厚みが薄い場合には、外装袋のシワを十分に吸収できず、酸素吸収性フィルムロールへの転写を防止できないおそれがある。その一方上記範囲よりも発泡フィルムの厚みが厚い場合には、発泡フィルムのオーバーラップ部分に大きな段差が生じ、この段差が酸素吸収性フィルムロールに転写されるおそれがあると共に、経済性の点からも望ましくない。
本発明においては、発泡フィルムとしては上記範囲の厚みを有する限り、従来公知の発泡フィルムを使用できるが、具体的には、発泡ポリエチレンフィルム、発泡ポリプロピレンフィルム、発泡ポリスチレンフィルム等を例示でき、中でも発泡ポリエチレンフィルムを好適に使用できる。
【００１６】
緩衝材として発泡フィルムを使用する場合、発泡フィルムは酸素吸収性フィルムのロールの幅よりも広い幅、好適には１〜５ｍｍ程度広い幅を有することが好ましい。これにより、発泡フィルムが酸素吸収性フィルムのロールのエッジ部分も覆って保護することが可能になり、酸素吸収性フィルムのロールのエッジ部分の変形を防止することができる。また酸素吸収性フィルムのロールのエッジ部分によって、外装袋にクラック等の破損が生じるリスクを低減することもできる。
また発泡フィルムの長さは、酸素吸収性フィルムのロール直径に応じて設定することができ、ロール外周面に少なくとも１周巻ける長さを有し、特に０．５〜１０．０ｃｍの範囲でオーバーラップする長さを有することが好適である。
【００１７】
［非発泡フィルム］
非発泡フィルムは、上記の通り、外装袋に生じたシワ（段差）と当接しても、非発泡フィルム自体にシワが転写されないか或いは転写されたとしてもごく微量であり、その結果、酸素吸収性フィルムに何等の影響も与えない剛性を有することが重要である。
非発泡フィルムがこのような性能を有するためには、非発泡フィルムの厚み及び引張弾性率（ＪＩＳ  Ｋ７１２７準拠）が重要であり、厚さが１００〜５００μｍの範囲、特に１５０〜２５０μｍの範囲にあり、引張弾性率（ＭＤ方向及びＴＤ方向）が２０００〜５０００ＭＰａの範囲、特に２５００〜４０００ＭＰａの範囲にあることが望ましい。すなわち、上記範囲よりも非発泡フィルムの厚みが薄い場合や、引張弾性率が２０００ＭＰａよりも低い場合には、非発泡フィルムに外装袋のシワが転写されてしまうおそれがあり、酸素吸収性フィルムのロールへのシワの発生を防止できないおそれがある。その一方上記範囲よりも非発泡フィルムの厚みが厚い場合には、非発泡フィルムのオーバーラップ部分に大きな段差が生じ、この段差が酸素吸収性フィルムロールに転写されるおそれがあると共に、経済性の点からも望ましくない。また上記範囲よりも引張弾性率の値が大きい場合には、非発泡フィルムの剛性が大きいことから、酸素吸収性フィルムのロールに巻きつけることが容易でなく、作業性に劣るようになると共に、非発泡フィルムにクラックや割れの発生のおそれがある。
【００１８】
本発明においては、非発泡フィルムとしては上記範囲の厚み及び引張弾性率を有する限り、従来公知の非発泡フィルムを使用できる。具体的には、ポリエチレンテレフタレート，ポリブチレンテレフタレート等のポリエステル、ポリエチレン，ポリプロピレン等のポリオレフィン、ナイロンなどのポリアミド、エチレンビニルアルコール共重合体等から成るフィルムの他、これら樹脂から成る積層体、ブレンド物等から成る複合材料を例示できる。また上記範囲の厚み及び引張弾性率を有する限り、未延伸又は延伸フィルムのいずれであってもよい。特に好適な非発泡フィルムとしては、二軸延伸ポリエチレンテレフタレートフィルムを例示できる。
【００１９】
緩衝材として非発泡フィルムを使用する場合、非発泡フィルムは酸素吸収性フィルムのロールの幅よりも狭い幅、好適には１〜２ｍｍ程度狭い幅を有することが好ましい。すなわち、非発泡フィルムは剛性が高いことから、酸素吸収性フィルムのロールの幅よりも広く、酸素吸収性フィルムのロールのエッジ部分よりも突出してしまうと、非発泡フィルムによって外装袋が損傷するおそれがある。
また非発泡フィルムの長さは、酸素吸収性フィルムのロール直径に応じて設定することができ、ロール外周面に少なくとも１周巻ける長さを有し、好適には０．５〜１０．０ｃｍの範囲でオーバーラップする長さを有する。
【００２０】
［酸素吸収性フィルム包装体］
本発明の酸素吸収性フィルム包装体は、長尺の酸素吸収性フィルムが巻芯に巻きつけられたロール（原反）の外周面を発泡フィルム又は非発泡フィルムから成る緩衝材で覆い、外装袋に入れた後、真空ポンプ等により外装袋内をできる限り脱気し、減圧された状態で密封されることにより製造することができる。
本発明の酸素吸収性フィルム包装体は、外装袋内が可能な限り脱気減圧されているので、酸素吸収性フィルムの酸素吸収性能が損なわれることがない。しかも前述したとおり、酸素吸収性フィルムのロール外周面を覆うように、酸素吸収性フィルムのロールと外装袋の間に緩衝材が介在するので、減圧により外装袋に発生したシワを酸素吸収性フィルムのロール表面に転写させることが有効に防止されている。
【実施例】
【００２１】
（試験方法）
酸素吸収性フィルムのロール体の外周面を、緩衝材として下記表１及び２に示すシートを用いて、オーバーラップ長さが５ｃｍとなるように覆い、外装袋（外層ナイロン１５μｍ／アルミニウム箔９μｍ／内層ポリエチレン７０μｍの積層体から成る）に入れ、可能な限り減圧した後、密封した。
密封後の状態で、常温で１か月保管した後、開封して、酸素吸収性フィルムロールの外観を目視にて確認した。
外観評価の基準は以下の通りである。試験結果を下記表１及び表２に示す。
◎：外装袋のシワ転写を防止できた。
○：外装袋のシワ転写を防止できたが、シートのオーバーラップ段差跡が目立った。
×：外装袋のシワが転写された。
【００２２】
【表１】
2020066435.tif 000002
【００２３】
【表２】
2020066435.tif 000003